(57)【要約】  【課題】家具の外身に回動可能にドアリーフ、即ちドア部分を連結するためのヒンジに、新たに制動機能を持たせることを可能にする、家具用ヒンジの制動装置を提供する。  【解決手段】本発明の制動装置（３０）は、ドアリーフ据付部分（２４）上に取り付けられ、その空洞には流体又は気体の制動媒体が設けられているダンパーハウジング（３２）と、前記制動媒体に対して動くことができ、前記ダンパーハウジング（３２）から伸びている作動要素のピストン（３９）に連結した抵抗要素とを有しており、少なくとも、前記支持壁据付部分（１６）と前記ドアリーフ据付部分（２４）が互いに相対的に回動している途中で、前記ピストン（３９）が、直接的又は間接的に支持アーム（１８）に当接して、回動するにつれて、前記支持壁据付部分（１６）とドアリーフ据付部分（２４）との相対的な回動運動を、前記抵抗要素に伝える。前記ダンパーハウジング（３２）は、横方向に突出した固定フランジ（３８，４６）が設けられた、別の独立した構成要素であり、該固定フランジ（３８，４６）は前記ドアリーフ据付部分（２４）の固定フランジ（４８）に固定できる。【選択図】図３
2007528952.tif 000002
【特許請求の範囲】
【請求項１】
家具の外身にドアリーフ（１２）即ちドア部分を回動可能に連結し、家具の外身の支持壁（１４）上に固定できる支持壁据付部分（１６）と、連結要素（２０，２２）により前記支持壁据付部分（１６）に回動可能に連結され好ましくは前記ドアリーフ（１２）の凹みに埋め込まれて係合し且つ横方向に突出して前記ドアリーフ（１２）の内側表面上に配置される固定フランジを有するドアリーフ据付部分として前記ドアリーフ（１２）の内側表面に固定され得るドアリーフ据付部分（２４）と、を有しているヒンジ（１０）に用いられ、更に、前記ドアリーフ据付部分（２４）上に設けられてその空洞に流体又は気体の制動媒体が設けられているダンパーハウジング（３２）と、前記制動媒体に相対的に動くことができ前記ダンパーハウジング（３２）から伸びている作動要素のピストン（３９）と連結した抵抗要素とを有し、少なくとも、前記支持壁据付部分（１６）と前記ドアリーフ据付部分（２４）が互いに相対的に回動している途中で、前記ピストン（３９）は、支持アーム（１８）と直接又は間接的に当接し、回動するにつれて、前記ピストン（３９）は、前記支持壁据付部分（１６）と前記ドアリーフ据付部分（２４）のその相対的な動きを前記抵抗要素に伝える、制動装置（３０）において、
前記ダンパーハウジング（３２）は、前記ドアリーフ据付部分（２４）の固定フランジ（４８）上に固定できる、横方向に突出した固定フランジ（３８，４６）が設けられた別の独立した構成要素であり、
前記ダンパーハウジング（３２）の固定フランジ（３８，４６）の領域は、少なくとも前記ドアリーフ据付部分（２４）の固定フランジに、実質上一致するように形成されており、そして前記ドアリーフ据付部分（２４）の固定フランジ（４８）上の定められた固定位置に載置でき、
前記ドアリーフ据付部分（２４）の固定フランジ（４８）上に前記ダンパーハウジング（３２）の固定フランジ（３８、４６）を、取り外し可能に連結するために、固定手段が設けられていることを特徴とする制動装置。
【請求項２】
少なくとも、前記ダンパーハウジング（３２）の固定フランジ（３８）のいくつかの領域は、前記ドアリーフ据付部分（２４）の固定フランジの境界に実質上一致するように形成され、固定フランジ（３８）の前記領域の縁部分には、前記ドアリーフ据付部分（２４）上の定められた固定位置に、前記ドアリーフ据付部分（２４）の固定フランジの縁全体に係合する突出細長縁部（４０）が設けられており、前記ドアリーフ据付部分（２４）の固定フランジの縁に、前記突出細長縁部（４０）を取り外し可能に連結するために、前記突出細長縁部（４０）と、前記ドアリーフ据付部分（２４）の固定フランジの縁部に、固定手段が形成されていることを特徴とする、請求項１に記載の制動装置。
【請求項３】
前記固定手段は、好ましくは、前記ドアリーフ据付部分（２４）の固定フランジの縁上又はその下側で係合し得る突起（４２）によって、前記突出細長縁部（４０）上に形成されていることを特徴とする、請求項２に記載の制動装置。
【請求項４】
前記ドアリーフ据付部分（２４）には、その固定フランジ（４８）の部分に、板部分（４４）が設けられ、また、前記板部分（４４）が、前記固定フランジを覆い、且つ前記ドアリーフ据付部分（２４）を固定させる追加手段となるためのものか、あるいはその何れか一方のためのものであり、定められた被覆固定位置において、前記固定フランジの一部を少なくとも覆って、前記固定フランジ（４８）上に載置されている場合のヒンジに用いられ、前記板部分（４４）を、前記ドアリーフ据付部分（２４）上のヒンジ回動軸と平行に伸びる軸（ａ）の周りに回動させて、起こすことができるように配置されている、制動装置において、前記ダンパーハウジング（３２）と前記板部分（４４）は、一体に形成されて一つの構成要素となっていることを特徴とする、請求項１に記載の制動装置。
【請求項５】
前記ドアリーフ据付部分（２４）には、その固定フランジ（４８）の部分に、板部分（４４）が設けられ、また、前記板部分（４４）が、前記固定フランジを覆い、且つ前記ドアリーフ据付部分（２４）を固定させる追加的手段となるためのものか、あるいはその何れか一方のためのものであり、定められた被覆固定位置において、前記固定フランジの一部を少なくとも覆って、前記固定フランジ（４８）上に載置されている場合のヒンジに用いられ、前記板部分（４４）を、前記ドアリーフ据付部分（２４）上のヒンジ回動軸と平行な軸（ａ）の周りに回動させて、起こすことができるように配置されている、制動装置において、前記ダンパーハウジング（３２）から突出している固定フランジ（４６）が、薄く平坦なタブ状の広がりを有して形成され、該固定フランジ（４６）は、前記ドアリーフ据付部分（２４）の固定フランジ（４８）の一部だけを覆い、前記ドアリーフ据付部分（２４）を被覆して固定する前記板部分（４４）を回動させて起こすときに、前記ドアリーフ据付部分（２４）の固定フランジ（４８）の対応する領域に、前記固定フランジ（４６）を配置することができ、また、前記固定フランジ（４６）は、前記ドアリーフ据付部分（２４）の固定フランジ（４８）に取り外し可能に連結されており、前記ドアリーフ据付部分（２４）を被覆し固定する前記板部分（４４）が回動して倒された後、前記固定フランジ（４６）は、前記ドアリーフ据付部分（２４）から離れずに、覆われて固定されることを特徴とする請求項１に記載の制動装置。
【請求項６】
連結するように互いに係合する固定のための突起及び凹みが、前記ダンパーハウジング（３２）のタブ状に広がっている固定フランジ（４６）の領域と、前記ドアリーフ据付部分（２４）の固定フランジ（４８）の領域とに、設けられていることを特徴とする、請求項５に記載の制動装置。
【請求項７】
前記ダンパーハウジング（３２）の前記固定フランジ（４６）の各々には、貫通穴（５０）が少なくとも一つは設けられており、前記貫通穴（５０）の各々は、前記ドアリーフ据付部分（２４）の固定フランジ（４８）の、横断面で補完的な形状を有する対応する突起上に配置されることを特徴とする、請求項６に記載の制動装置。
【請求項８】
定められた被覆固定位置において、一方が他方の上に配置される、前記ダンパーハウジング（３２）の固定フランジ（４６）の領域、及び前記ドアリーフ据付部分（２４）の固定フランジ（４８）の、前記領域と向かい合う領域には、一直線上に合わせられて、追加固定ネジのネジ部が挿入できる貫通穴が、それぞれに少なくとも一つは設けられていることを特徴とする、請求項６又は７に記載の制動装置。
【発明の詳細な説明】
【技術分野】
【０００１】
本発明は、家具の外身にドアリーフ、即ちドア部分を、回動可能に接合するための家具用ヒンジの制動装置に関する。
【０００２】
本発明が使用される前記ヒンジは、家具の外身部分の支持壁上に固定できる支持壁据付部分と、連結要素により前記支持壁据付部分と回動可能に連結されたドアリーフ据付部分とをそれぞれ有している。前記ドアリーフ据付部分はドアリーフの内側の面に固定できる。好ましくは、前記ドアリーフ据付部分は、ドアリーフの凹み部に埋め込まれて係合し、更に、前記ドアリーフの内側の面で支持される横方向に突出した固定フランジを有している。
【０００３】
本発明の制動装置は、前記ドアリーフ据付部分に取り付けられるダンパーハウジングを有している。前記ダンパーハウジングには、流体又は気体の制動媒体が、その空洞部分に設けられている。また本発明の制動装置は、前記制動媒体に相対的に動くことができる抵抗要素を有している。前記抵抗要素は、前記ダンパーハウジングから伸びている作動要素に連結されている。前記支持壁据付部分と前記ドアリーフ据付部分が互いに相対的に回動する間に、少なくともその途中で、前記作動要素は、前記支持壁据付部分と直接的か又は間接的に当接し、これら据付部分が回動するにつれて、その相対的な運動を前記抵抗要素に伝える。
【背景技術】
【０００４】
ドアリーフ上の制動装置は、戸棚の戸が急激に勢いよく閉まるときに、戸棚の戸が、戸棚の外身に打ち当って急に止められる際に、その衝撃により音が生じるのを防止するか、又は少なくとも大部分は、生じる音を減らすのに使用される。そのような制動装置には、制動媒体として、例えば大気中の空気のような気体の物質、又は、例えばシリコン油のような粘性流体を使用して作動するものが、それ自体知られている。
【０００５】
【特許文献１】ＷＯ０３/００４８１７Ａ１
【特許文献２】ＥＰ０６１０７６５Ａ１
【特許文献３】ＤＥ２９７１７５０８Ｕ１
【発明の開示】
【発明が解決しようとする課題】
【０００６】
例えば特許文献１（図１１及び図１２）には、ドアリーフに埋め込まれ固定され得るヒンジカップとして構成されているドアリーフ据付け部分として設けられる制動装置が開示されている。ダンパーハウジングは前記ドアリーフ据付部分の一部を成している。前記ヒンジカップは、適当な合金（ｚａｍａｋ）からダイカスト工法で製造される。
【０００７】
ダンパーハウジングが一体に形成されているヒンジカップの製造は、鋳造条件において比較的複雑であり、明らかに高価である。通常のヒンジ、即ち制動手段を持たないヒンジを使用している場合に、ドアリーフがその閉じ位置に近づくときに、ドアリーフが衝撃を抑えて止められるように、前記通常のヒンジに、制動手段を新たに備え付けることは可能ではない。又、可能であってもただ困難なだけである。なぜなら、この目的のために、通常のヒンジを、一体に形成されたダンパーハウジングを有するドアリーフ据付部分と、取り替えなければならないからである。
【０００８】
対照的に、本発明の目的は、ここで問題となっている制動装置を持たないヒンジに、新たに制動装置を備え付けること、即ち制動装置を後から追加して、制動機能を有するヒンジにすることを可能にする、家具用ヒンジの制動装置を提供することである。
【課題を解決するための手段】
【０００９】
本明細書の最初に参照したタイプの制動装置の説明から始める。本発明のダンパーハウジングを、前記ドアリーフ据付部分の固定フランジに固定される横方向に突出した固定フランジが設けられた、一つの独立した構成要素としていることによる本発明に従って、目的は達成される。
【００１０】
本発明の第一実施例において、前記ダンパーハウジングの前記固定フランジの少なくともいくつかの領域は、それら領域が前記ドアリーフ据付部分の外側境界部分と実質的に一致するように形成されており、それら領域の縁部分には、突出細長縁部が設けられている。該突出細長縁部は、前記ドアリーフ据付部分上の定められた固定位置において、前記ドアリーフ据付部分の固定フランジの縁全体に係合する。ここで、前記突出細長縁部を、前記ドアリーフ据付部分の固定フランジの縁と取り外し可能に連結させるために、固定手段が設けられている。
【００１１】
前記固定手段は、好ましくは前記突出細長縁部に形成された突起であって、該突起は前記ドアリーフ据付部分の固定フランジの縁上又は下側に係合できる。このように、もし必要であれば、後から本発明の制動装置を、別の道具を必要とせずに、前記ドアリーフ据付部分の固定フランジに取り付けることが可能である。
【００１２】
通常のヒンジにおいて、ヒンジカップとして構成されている前記ドアリーフ据付部分は、固定ネジを固定フランジの穴に通して、前記ドアリーフに該固定ネジで留められる。この場合に、固定手段として、ダンパーハウジングの固定フランジに、前記ドアリーフ据付部分の固定フランジの穴と合わさる穴を設けてもよい。それにより、前記ダンパーハウジングは、適当な長さの固定ネジによって、前記ドアリーフ据付部分と共に固定できる。
【００１３】
前記ドアリーフ据付部分の固定フランジの部分に、板部分が設けられているヒンジにおいて、該板部分は、前記固定フランジを覆い、且つ前記ドアリーフ据付部分を固定する追加手段となるためのものであるか、又はそのいずれか一方のためのものである。前記板部分は、定められた被覆固定位置において、前記ドアリーフ据付部分の固定フランジの一部を少なくとも覆って、前記固定フランジ上に載置される。
【００１４】
前記板部分は、前記ドアリーフ停止部分上のヒンジ回動軸に平行に伸びる軸の周りを回動して起こせるように配置してある（例えば、特許文献２又は特許文献３を参照）。本発明の制動装置の実施例の一つにおいては、ダンパーハウジングから突出する固定フランジは、薄く平坦なタブ状に広げることにより形成されており、前記ドアリーフ据付部分の固定フランジの一部を覆うだけであるので好適である。更に本発明の前記実施例においては、前記ドアリーフ据付部分の固定フランジを覆って固定する、前記ドアリーフ据え付け部分の前記板部分が回動して起こされるときに、前記ダンパーハウジングの固定フランジは、前記ドアリーフ据付部分の固定フランジの対応領域に配置でき、そして、前記ドアリーフ据付部分の固定フランジに取り外し可能に連結でき、更に、前記ドアリーフ据付部分の固定フランジを覆って固定する前記板部分を回動させて倒した後に、前記ドアリーフ据付部分から離れることなく、前記板部分に覆われて固定できるので好適である。
【００１５】
また、前記ダンパーハウジングのタブ状に広がった領域、及び前記ドアリーフ据付部分の固定フランジの連結は、固定のための突起部分と凹み部分を、連結するように互いに係合させることにより行われるので好適である。
【００１６】
本発明の好適実施例においては、少なくとも一つの貫通穴が、前記ダンパーハウジングのタブ状に広がった領域、即ち前記ダンパーハウジングの固定フランジの各々に設けられて、これら貫通穴は各々、前記ドアリーフ据付部分の固定フランジの、横断面で相補的な形状をした対応する突起の上へ配置される。
【００１７】
追加される固定手段としては、定められた被覆固定位置で一方が他方の上方に載置される、前記ダンパーハウジングの固定フランジの領域、及び前記ドアリーフ据付部分の固定フランジの対向する領域の両方に、少なくとも一つの貫通穴が互いに合わせられるように設けられ、これら穴を通って追加固定ネジのネジ部が前記両方の領域を貫通する。この場合に、前記ダンパーハウジングの固定フランジの貫通穴が、対応する突起上へ配置された後に、前記追加固定ネジにより、前記ドアリーフ据付部分の固定フランジから、前記ダンパーハウジングの固定フランジが離れるという望ましくない事態を防ぐことができる。前記追加固定ネジの頭部は、被覆固定のための前記板部分が回動して、ドアリーフ上かまたはその中の前記ドアリーフ据付部分の定められた据付位置に倒れることにより、前記板部分によって覆われる。
【発明の効果】
【００１８】
本発明によれば、制動装置を持たないヒンジに、新たに制動装置を備え付けること、即ち制動装置を後から追加して、制動機能を有するヒンジにすることを可能にする。
【発明を実施するための最良の形態】
【００１９】
図面を参照しながら、三つの実施例に関する以下の記載の中で、もっと詳細に本発明の説明を行う。
【００２０】
符号１０が付けられ、その全体が示されている家具用ヒンジが、図１及び図２に示されている。前記ヒンジ１０は、ドアリーフ１２が戸棚の外身の支持壁１４上に回動可能に取り付けられることにより、四方向ヒンジとして構成されている。前記ヒンジ１０においては、支持壁１４上に固定された戸棚の外身の支持壁据え付け部分１６に、調節可能に固定できる支持アーム１８が、二つのヒンジ連結要素２０と２２により、前記ドアリーフ１２の凹みに埋め込まれて固定されるドアリーフ据付部分２４に連結されており、前記ヒンジ１０は、それ自体知られている四方向ヒンジとして構成されている。
【００２１】
ダンパーハウジング３２を有する、別の独立した部品として製造された制動装置３０が、前記ドアリーフ据付部分２４上に固定される。前記ダンパーハウジング３２は、細長いハウジング部分３４を有しており、該ハウジング部分３４は、前記ドアリーフ据付部分２４平面の縦中央に合わせられて配置され、前記ドアリーフ１２の自由端縁側から離れた位置にある。前記ハウジング部分３４には、円筒形の空洞３６が設けられている。前記空洞３６は、前記ドアリーフ据付部分２４に最も近い側が開いており、ピストンダンパーとして構成された実際のダンパーの機能的構成要素を、収容するのに使用される。
【００２２】
前記ダンパーの機能的構成部分のうち、図１乃至３においては、ダンパーハウジング３２から突き出ている、前記ダンパーのピストンロッドの端部に連結されたピストン３９の端部だけが示されている。前記ドアリーフ１２がその閉じ位置に近づくにつれて、前記ピストン３９は、前記ドアリーフ１２を閉じる間に、前記支持アーム１８に当接し、その後の閉じ工程の間に、所望のブレーキ効果、即ち制動効果を示す。
【００２３】
横方向及び前記ドアリーフ据付部分２４の方向に突出している、二つの固定フランジ３８が、前記ドアリーフ据付部分２４に最も近い前記ハウジング部分３４端部の両方の側面上に、鋳造により一体的に形成されている。前記ドアリーフ据付部分２４上には、固定フランジ（図示しない）が通常設けられており、前記ドアリーフ１２の内側表面で支持されている。前記固定フランジ３８は、前記ドアリーフ据付部分２４の固定フランジに、実質上一致するように形成されている。前記固定フランジ３８には、それらの縁部分に突出細長縁部４０が設けられている。前記突出細長縁部４０は、前記ドアリーフ据付部分２４上の定められたその取り付け位置で、前記ドアリーフ据付部分２４の固定フランジの縁全体に係合する。このように、前記ダンパーハウジング３２の固定フランジ３８は、前記ドアリーフ据付部分２４の固定フランジ上に配置できる。そのため、前記ドアリーフ据付部分２４の固定フランジは、前記ダンパーハウジング３２の固定フランジ３８の内側に形成された空間にぴったり合うように収容されている。
【００２４】
最も簡単な場合においては、前記突出細長縁部４０から内側に突出している突起４２により、前記ドアリーフ据付部分２４に取り付けられる前記ダンパーハウジング３２の固定が行われる。前記突起４２により、前記ドアリーフ据付部分２４の対応する固定フランジ上へ、前記固定フランジ３８を取り付けて固定することができる。前記突起４２は、前記制動装置３０の定められた固定位置において、前記ドアリーフ据付部分２４の固定フランジの縁の下側で係合する。前記ドアリーフ１２に既に設置された前記ドアリーフ据付部分２４に対して、このようにして構成された本発明の制動装置の取り付け及び取り外しを、簡単にそして迅速に行うことが可能であることは理解できる。このように、制動装置を有していない通常のヒンジを、本発明のような端部で制動を行う設計に改造することが、いつでも難なく可能である。
【００２５】
図６乃至８には、例えば、特許文献２又は３から知られているような、道具を必要とせずに設置できる特殊なヒンジカップ、即ちドアリーフ据付部分２４が使用されているヒンジのための、本発明に従うヒンジ用制動装置３０の変形例が示されている。前記ヒンジにおいて、ヒンジカップとして構成されている前記ドアリーフ据付部分２４には、更に、その固定フランジの部分に板部分４４を付加して設けている。前記板部分４４は、前記ドアリーフ据付部分２４の固定フランジを覆い、且つ前記ドアリーフ据付部分２４を固定する追加手段となるためのものか、またはその何れか一方のためのものであって、定められた被覆固定位置において、少なくとも前記ドアリーフ据付部分２４の固定フランジ部分を覆って、前記ドアリーフ据付部分２４の固定フランジ上に載置される。ここで、前記板部分４４は、前記ドアリーフ据付部分２４上のヒンジ回動軸と平行に伸びる軸ａの周りに、回動して起こせるようになっている。
【００２６】
この場合に、前記ダンパーハウジング３２は、図９に示されているような、前記板部分４４と連結されて、一体的な構成要素に形成されていれば好都合である。換言すれば、前記ドアリーフ据付部分２４から離れている側の、前記ダンパーハウジング３２の端部を持ち上げて、その結果、前記軸ａの周りを前記板部分４４が回動して起こされることにより、前記ドアリーフ１２に設けられた凹みに前記ドアリーフ据付部分２４を固定する、固定手段が解除される。従って、前記ドアリーフ据付部分２４は、道具を使用せずに、前記ドアリーフ１２から取り外すことができる。
【００２７】
図１０には、類似の方法、即ち前記軸ａの周りを回動させて、実際の固定フランジを覆う板部分を起こすことにより、道具を必要とせずに、その取り付け及び取り外しができる、ヒンジカップ、即ちドアリーフ据付部分２４が示されている。別の独立した部品として作られた前記ダンパーハウジング３２を、前記ドアリーフ据付部分２４上に取り付ける方法を、よりよく解説するために、回動して起こされる前記板部分は図示されていない。
【００２８】
図１０に示されている前記ダンパーハウジング３２は、前に述べられた実施例のダンパーハウジング３２の変形例であるが、一体に形成された板部分の代わりに、薄い平坦なタブ状に広がっている固定フランジ４６が設けられている。前記固定フランジ４６は、固定板（図示しない）を回動させて起こした後、前記ドアリーフ据付部分２４の固定フランジ４８の上面に配置できる。前記固定フランジ４６には、貫通穴５０が設けられており、前記ドアリーフ据付部分２４の固定フランジ４８の上面から突出している突出部（図示しない）が、前記貫通穴５０に係合している。この場合に、前記ドアリーフ据付部分２４の固定フランジ４８を覆う前記固定板を倒すことにより、前記ダンパーハウジング３２、従って本発明の制動装置３０は、全体として前記ドアリーフ据付部分２４上で固定される。
【００２９】
前記固定フランジ４６は、前記ドアリーフ１２にネジで取り付けられることにより、更に固定される。このために、前記制動装置３０の前記ダンパーハウジング３２の前記固定フランジ４６の各々には、貫通穴５２が更に設けられている。前記ドアリーフ据付部分２４の固定フランジ４８の穴が、前記固定フランジ４６の対応する貫通穴５２に合わせられる。従って、前記各貫通穴５２と、該貫通穴５２に合わせられる固定フランジ４８の穴を通じて、固定ネジを前記ドアリーフ１２に、締め付けることができる。そのため、前記ドアリーフ据付部分２４の固定フランジ４８を覆う前記板部分が回動して起こされたとしても、前記ダンパーハウジング３２も、前記ドアリーフ据付部分２４の固定フランジ４８から、取り外れることなく固定される。
【図面の簡単な説明】
【００３０】
【図１】戸棚の外身の支持壁上に、戸棚のドアリーフを回動可能に連結し、前記ドアリーフに取り付けられるその据付部分に、本発明に従って構成された制動装置が取り付けられた、閉じ位置にある家具用ヒンジの側面図である。
【図２】戸棚のドアリーフが、少し開いた位置で示されている、図１に対応する側面図である。
【図３】図２の矢印３の方向から見た、前記ヒンジが完全に開いた位置で示されている、図１及び２に示されている前記ヒンジの平面図である。
【図４】本発明の制動装置のダンパーハウジングの斜視図である。
【図５】図４の矢印５−５の方向に見た、ダンパーハウジングの固定フランジの一つを貫いている断面図である。
【図６】本発明の第二実施例の制動装置を取り付けたヒンジの、図１に対応する側面図である。
【図７】図６に示された実施例の、図２に対応する側面図である。
【図８】図６及び７に示された実施例の、図３に対応する平面図である。
【図９】ヒンジカップとして構成される、ヒンジのドアリーフ据付部分が示されていない、図６乃至８に示された実施例における、本発明のダンパーハウジングの斜視図である。
【図１０】図６乃至９に従う実施例と異なる、ヒンジカップ、即ちドアリーフ据付部分上のダンパーハウジングを保持する、連結手段の構成及び配置を有する、ヒンジのドアリーフ据付部分の斜視図である。
【符号の説明】
【００３１】
１０                              ヒンジ
１２                              ドアリーフ
１４                              戸棚の外身の支持壁
１６                              戸棚の外身の支持壁据付部分
１８                              支持アーム
２０、２２                        ヒンジ連結要素
２４                              ドアリーフ据付部分
３０                              制動装置
３２                              ダンパーハウジング
３４                              ハウジング部分
３６                              円筒形の空洞
３８、４６                        ダンパーハウジングの固定フランジ
３９                              ピストン
４０                              突出細長縁部
４２                              突起
４４                              板部分
４８                              ドアリーフ据付部分の固定フランジ
５０、５２                        貫通穴
ａ                              軸
【図１】
2007528952.tif 000003
【図２】
2007528952.tif 000004
【図３】
2007528952.tif 000005
【図４】
2007528952.tif 000006
【図５】
2007528952.tif 000007
【図６】
2007528952.tif 000008
【図７】
2007528952.tif 000009
【図８】
2007528952.tif 000010
【図９】
2007528952.tif 000011
【図１０】
2007528952.tif 000012
【国際調査報告】
2007528952.tif 000013
2007528952.tif 000014
2007528952.tif 000015
2007528952.tif 000016
2007528952.tif 000017
2007528952.tif 000018